(57)【特許請求の範囲】
【請求項１】
ＣＤＭＡ２０００ １ｘＥＶ−ＤＯシステムのホームネットワークからＣＤＭＡ２０００ １ｘＥＶ−ＤＯシステムの訪問ネットワークへと移動した移動端末にデータサービスを提供するための移動通信システムにおいて、
前記訪問ネットワークにおけるパケットデータ提供ノードにネットワーク識別子（ＮＡＩ）を伝送する移動端末と、
前記移動端末加入者のプロフィール情報を前記訪問ネットワークに伝送する前記ホームネットワークにおける認証権限課金サーバー（ＡＡＡ）と、
前記ネットワーク識別子に基づいて前記移動端末のローミングサービスへの加入の有無をチェックし、前記移動端末が前記ローミングサービスに加入している場合、前記ホームネットワークにおける認証権限課金サーバー（ＡＡＡ）に対して前記移動端末加入者のプロフィール情報の送信を要請し、前記加入者プロフィール情報を用いて、前記ホームネットワークから当該加入者に提供していた少なくとも一つのデータサービスを提供する前記訪問ネットワークにおけるパケットデータ提供ノードと、を備え、
前記加入者プロフィール情報は、前記移動端末がホームネットワークから提供されていた複数のデータサービスのリストであるサービスリストを示す情報を有し、
前記パケットデータ提供ノードは、前記データサービスを提供することとして、前記サービスリストに挙げられている複数のデータサービスのうちの少なくとも一つのデータサービスを提供し、
前記ホームネットワークにおける認証権限課金サーバー（ＡＡＡ）は、
前記訪問ネットワークにおけるパケットデータ提供ノードにトンネリング情報をさらに伝送することを特徴とする移動通信システムにおけるローミングサービスの提供システム。
【請求項２】
前記訪問ネットワークにおけるパケットデータ提供ノードは、
前記移動端末が伝送したネットワーク識別子からユーザー名とドメインを分離し、前記分離したドメインを用いて前記移動端末のローミングサービスへの加入の有無を確認することを特徴とする、請求項１に記載の移動通信システムにおけるローミングサービスの提供システム。
【請求項３】
前記トンネリング情報は、前記訪問ネットワークにおけるパケットデータ提供ノードがトンネリングを行うための、前記ホームネットワークにおけるパケットデータ提供ノードのＩＰアドレスであることを特徴とする、請求項１に記載の移動通信システムにおけるローミングサービスの提供システム。
【請求項４】
前記トンネリング情報は、前記訪問ネットワークにおけるパケットデータ提供ノードがトンネリングを行うための、前記ホームネットワークにおけるホームエージェントのＩＰアドレスであることを特徴とする、請求項１に記載の移動通信システムにおけるローミングサービスの提供システム。
【請求項５】
前記訪問ネットワークにおけるパケットデータ提供ノードは、前記トンネリング情報を用いて前記ホームネットワークにおけるパケットデータ提供ノードとトンネリングを設定して、前記移動端末にパケットデータサービスを提供することを特徴とする、請求項３に記載の移動通信システムにおけるローミングサービスの提供システム。
【請求項６】
前記訪問ネットワークにおけるパケットデータ提供ノードは、前記トンネリング情報を用いて前記ホームネットワークにおけるホームエージェントとトンネリングを設定して、前記移動端末にパケットデータサービスを提供することを特徴とする、請求項３に記載の移動通信システムにおけるローミングサービスの提供システム。
【請求項７】
前記ホームネットワークにおけるパケットデータ提供ノードは、
前記移動端末とのパケットデータの送受信が始まる場合、前記ホームネットワークにおける認証権限課金サーバー（ＡＡＡ）と前記訪問ネットワークにおける認証権限課金サーバー（ＡＡＡ）に課金の開始を要請することを特徴とする、請求項５に記載の移動通信システムにおけるローミングサービスの提供システム。
【請求項８】
前記訪問ネットワークにおけるパケットデータ提供ノードは、
前記移動端末とのパケットデータの送受信が始まる場合、前記訪問ネットワークにおける認証権限課金サーバー（ＡＡＡ）と前記ホームネットワークにおける認証権限課金サーバー（ＡＡＡ）に課金の開始を要請することを特徴とする、請求項６に記載の移動通信システムにおけるローミングサービスの提供システム。
【請求項９】
ＣＤＭＡ２０００ １ｘＥＶ−ＤＯシステムのホームネットワークからＣＤＭＡ２０００ １ｘＥＶ−ＤＯシステムの訪問ネットワークへと移動した移動端末にデータサービスを提供するための方法において、
前記移動端末が前記訪問ネットワークにおけるパケットデータ提供ノードにネットワーク識別子（ＮＡＩ）を伝送するステップと、
前記訪問ネットワークにおけるパケットデータ提供ノードが前記ネットワーク識別子を受け取るステップと、
前記訪問ネットワークにおけるパケットデータ提供ノードが、前記移動端末のローミングサービスへの加入の有無をチェックするステップと、
前記移動端末がローミングサービスに加入している場合、前記訪問ネットワークにおけるパケットデータ提供ノードが前記ホームネットワークにおける認証権限課金サーバーに対して前記移動端末加入者のプロフィール情報の送信を要請するステップと、
前記ホームネットワークにおける認証権限課金サーバーが前記移動端末加入者のプロフィール情報を前記訪問ネットワークに伝送するステップと、
前記加入者プロフィール情報を受け取った前記訪問ネットワークにおけるパケットデータ提供ノードが、前記加入者プロフィール情報を用いて、前記移動端末にパケットデータサービスを提供するステップと、を含み、
前記加入者プロフィール情報は、前記移動端末がホームネットワークから提供されていた複数のデータサービスのリストであるサービスリストを示す情報を有し、
前記移動端末にパケットデータサービスを提供するステップは、前記パケットデータサービスを提供することとして、前記サービスリストに挙げられている複数のデータサービスのうちの少なくとも一つのデータサービスを提供し、
前記ホームネットワークにおける認証権限課金サーバーが、前記訪問ネットワークにおけるパケットデータ提供ノードにトンネリング情報を伝送するステップをさらに含むことを特徴とする移動通信システムにおけるローミングサービスの提供方法。
【請求項１０】
前記訪問ネットワークにおけるパケットデータ提供ノードが、前記ネットワーク識別子に基づいて、前記移動端末のローミングサービスへの加入有無をチェックするステップは、
前記移動端末から前記ネットワーク識別子を受け取るステップと、
前記受け取ったネットワーク識別子からユーザー名とドメインを分離し、前記移動端末のローミングサービスへの加入の有無を確認するステップと、を含むことを特徴とする、請求項９に記載の移動通信システムにおけるローミングサービスの提供方法。
【請求項１１】
前記トンネリング情報は、前記訪問ネットワークにおけるパケットデータ提供ノードがトンネリングを行うための、前記ホームネットワークにおけるパケットデータ提供ノードのＩＰアドレスであることを特徴とする、請求項９に記載の移動通信システムにおけるローミングサービスの提供方法。
【請求項１２】
前記トンネリング情報は、前記訪問ネットワークにおけるパケットデータ提供ノードがトンネリングを行うための、前記ホームネットワークにおけるホームエージェントのＩＰアドレスであることを特徴とする、請求項９に記載の移動通信システムにおけるローミングサービスの提供方法。
【請求項１３】
前記訪問ネットワークにおけるパケットデータ提供ノードは、前記トンネリング情報を用いて前記ホームネットワークにおけるパケットデータ提供ノードとトンネリングを設定するステップをさらに含むことを特徴とする、請求項１１に記載の移動通信システムにおけるローミングサービスの提供方法。
【請求項１４】
前記訪問ネットワークにおけるパケットデータ提供ノードは、前記トンネリング情報を用いて前記ホームネットワークにおけるホームエージェントとトンネリングを設定するステップをさらに含むことを特徴とする、請求項１２に記載の移動通信システムにおけるローミングサービスの提供方法。
【請求項１５】
前記ホームネットワークにおけるパケットデータ提供ノードが、前記移動端末とのパケットデータの送受信が始まる場合、前記ホームネットワークにおける認証権限課金サーバー（ＡＡＡ）と前記訪問ネットワークにおける認証権限課金サーバー（ＡＡＡ）に課金の開始を要請するステップをさらに含むことを特徴とする、請求項１３に記載の移動通信システムにおけるローミングサービスの提供方法。
【請求項１６】
前記訪問ネットワークにおけるパケットデータ提供ノードが、前記移動端末とのパケットデータの送受信が始まる場合、前記訪問ネットワークにおける認証権限課金サーバー（ＡＡＡ）と前記ホームネットワークにおける認証権限課金サーバー（ＡＡＡ）に課金の開始を要請するステップをさらに含むことを特徴とする、請求項１４に記載の移動通信システムにおけるローミングサービスの提供方法。
【請求項１７】
ＣＤＭＡ２０００ １ｘＥＶ−ＤＯシステムのホームネットワークからＣＤＭＡ２０００ １ｘＥＶ−ＤＯシステムの訪問ネットワークへと移動した移動端末に、前記訪問ネットワークにおけるパケットデータ提供ノードがデータサービスを提供するための方法において、
前記移動端末からネットワーク識別子（ＮＡＩ）を受け取るステップと、
前記ネットワーク識別子に基づいて、前記移動端末のローミングサービスへの加入の有無をチェックするステップと、
前記移動端末がローミングサービスに加入している場合、前記ホームネットワークにおける認証権限課金サーバーに前記移動端末加入者のプロフィール情報を要請するステップと、
前記ホームネットワークにおける認証権限課金サーバーから前記加入者プロフィール情報を受け取るステップと、
前記受け取った加入者プロフィール情報を用いて、前記移動端末にデータサービスを提供するステップと、を含み、
前記加入者プロフィール情報は、前記移動端末がホームネットワークから提供されていた複数のデータサービスのリストであるサービスリストを示す情報を有し、
前記移動端末にパケットデータサービスを提供するステップは、前記パケットデータサービスを提供することとして、前記サービスリストに挙げられている複数のデータサービスのうちの少なくとも一つのデータサービスを提供し、
前記訪問ネットワークにおけるパケットデータ提供ノードは、
前記ホームネットワークにおける認証権限課金サーバーからトンネリング情報を受け取るステップをさらに含むことを特徴とする、移動通信システムにおけるローミングサービスの提供方法。
【請求項１８】
前記トンネリング情報は、前記訪問ネットワークにおけるパケットデータ提供ノードがトンネリングを行うための、前記ホームネットワークにおけるパケットデータ提供ノードのＩＰアドレスであることを特徴とする、請求項１７に記載の移動通信システムにおけるローミングサービスの提供方法。
【請求項１９】
前記トンネリング情報は、前記訪問ネットワークにおけるパケットデータ提供ノードがトンネリングを行うための、前記ホームネットワークにおけるホームエージェントのＩＰアドレスであることを特徴とする、請求項１７に記載の移動通信システムにおけるローミングサービスの提供方法。
【請求項２０】
前記訪問ネットワークにおけるパケットデータ提供ノードは、前記トンネリング情報を用いて前記ホームネットワークにおけるパケットデータ提供ノードとトンネリングを設定するステップをさらに含むことを特徴とする、請求項１７に記載の移動通信システムにおけるローミングサービスの提供方法。
【請求項２１】
前記訪問ネットワークにおけるパケットデータ提供ノードは、前記トンネリング情報を用いて前記ホームネットワークにおけるホームエージェントとトンネリングを設定するステップをさらに含むことを特徴とする、請求項１９に記載の移動通信システムにおけるローミングサービスの提供方法。
【請求項２２】
前記ホームネットワークにおけるパケットデータ提供ノードは、
前記移動端末とのパケットデータの送受信が始まる場合、前記ホームネットワークにおける認証権限課金サーバー（ＡＡＡ）と前記訪問ネットワークにおける認証権限課金サーバー（ＡＡＡ）に課金の開始を要請するステップをさらに含むことを特徴とする、請求項２０に記載の移動通信システムにおけるローミングサービスの提供方法。
【請求項２３】
前記訪問ネットワークにおけるパケットデータ提供ノードは、
前記移動端末とのパケットデータの送受信が始まる場合、前記訪問ネットワークにおける認証権限課金サーバー（ＡＡＡ）と前記ホームネットワークにおける認証権限課金サーバー（ＡＡＡ）に課金の開始を要請するステップをさらに含むことを特徴とする、請求項２１に記載の移動通信システムにおけるローミングサービスの提供方法。
【請求項２４】
前記訪問ネットワークにおけるパケットデータ提供ノードが、前記ネットワーク識別子に基づいて前記移動端末のローミングサービスへの加入の有無をチェックするステップは、
前記移動端末が伝送したネットワーク識別子からユーザー名とドメインを分離するステップと、
前記ドメインをチェックし、前記移動端末のローミングサービスへの加入の有無を確認するステップと、を含むことを特徴とする、請求項１７に記載の移動通信システムにおけるローミングサービスの提供方法。
【請求項２５】
ＣＤＭＡ２０００ １ｘＥＶ−ＤＯシステムのホームネットワークからＣＤＭＡ２０００ １ｘＥＶ−ＤＯシステムの訪問ネットワークに移動した移動端末にデータサービスを提供するための移動通信システムにおいて、パケットデータ提供ノードがローミングサービスを提供するための方法において、
前記訪問ネットワークにおけるパケットデータ提供ノードが、前記移動端末からネットワーク識別子を受け取るステップと、
前記訪問ネットワークにおけるパケットデータ提供ノードが、前記ネットワーク識別子に基づいて、前記移動端末のローミングサービスへの加入の有無をチェックするステップと、
前記移動端末がローミングサービスに加入している場合、前記訪問ネットワークにおけるパケットデータ提供ノードが前記ホームネットワークにおける認証権限課金サーバー（ＡＡＡ）に前記移動端末加入者のプロフィール情報の送信を要請するステップと、
前記訪問ネットワークにおけるパケットデータ提供ノードが、前記加入者プロフィール情報を用いて、前記ホームネットワークが前記移動端末加入者に提供していた少なくとも一つのサービスを提供するステップと、を含み、
前記ホームネットワークにおける認証権限課金サーバーが、前記訪問ネットワークに前記移動端末加入者のプロフィール情報を伝送し、
前記加入者プロフィール情報は、前記移動端末がホームネットワークから提供されていた複数のデータサービスのリストであるサービスリストを示す情報を有し、
前記サービスを提供するステップは、前記サービスを提供することとして、前記サービスリストに挙げられている複数のデータサービスのうちの少なくとも一つのデータサービスを提供し、
前記ホームネットワークにおける認証権限課金サーバーは、前記訪問ネットワークにおけるパケットデータ提供ノードにトンネリング情報を伝送するステップをさらに含むことを特徴とする、移動通信システムにおけるローミングサービスの提供方法。
【請求項２６】
前記受け取ったネットワーク識別子からユーザー名とドメインを分離するステップと、
前記分離したドメインを用いて、前記移動端末加入者が前記ローミングサービスへの加入者であるかどうかをチェックするステップと、をさらに含むことを特徴とする、請求項２５に記載の移動通信システムにおけるローミングサービスの提供方法。
【請求項２７】
前記トンネリング情報は、前記訪問ネットワークにおけるパケットデータ提供ノードがトンネリングを行うための前記ホームネットワークにおけるパケットデータ提供ノードのＩＰアドレスと、前記訪問ネットワークにおけるパケットデータ提供ノードがトンネリングを行うための前記ホームネットワークにおけるホームエージェントのＩＰアドレスと、を含み、
前記訪問ネットワークにおけるパケットデータ提供ノードが前記トンネリング情報を用いて前記ホームネットワークにおけるパケットデータ提供ノードとトンネリングを設定するステップと、
前記移動端末にパケットデータサービスを提供するステップと、をさらに含むことを特徴とする、請求項２５に記載の移動通信システムにおけるローミングサービスの提供方法。
【請求項２８】
前記訪問ネットワークにおけるパケットデータ提供ノードが、前記トンネル情報を用いて前記ホームネットワークにおけるホームエージェントとトンネリングを設定するステップと、
前記移動端末にパケットデータサービスを提供するステップと、をさらに含むことを特徴とする請求項２７に記載の移動通信システムにおけるローミングサービスの提供方法。
【請求項２９】
前記ホームネットワークにおけるパケットデータ提供ノードが、前記移動端末へのパケットデータサービスの提供を始めるとき、前記ホームネットワークにおける認証権限課金（ＡＡＡ）サーバーと前記訪問ネットワークにおける認証権限課金サーバーに課金の開始を要請するステップをさらに含むことを特徴とする、請求項２８に記載の移動通信システムにおけるローミングサービスの提供方法。
【請求項３０】
前記移動端末へのパケットデータサービスの提供が始まるとき、前記訪問ネットワークにおけるパケットデータ提供ノードが前記訪問ネットワークにおける認証権限課金サーバー（ＡＡＡ）と前記ホームネットワークにおける認証権限課金サーバー（ＡＡＡ）に課金の開始を要請するステップをさらに含むことを特徴とする、請求項２９に記載の移動通信システムにおけるローミングサービスの提供方法。
【請求項３１】
ＣＤＭＡ２０００ １ｘＥＶ−ＤＯシステムのホームネットワークからＣＤＭＡ２０００ １ｘＥＶ−ＤＯシステムの訪問ネットワークへと移動した移動端末にパケットデータサービスを提供する移動通信システムにおいて、パケットデータ提供ノードがローミングサービスを提供するためのシステムにおいて、
前記移動端末からネットワーク識別子（ＮＡＩ）を受け取るための手段と、
前記ネットワーク識別子に基づいて、前記移動端末加入者がローミングサービスへの加入者であるかどうかをチェックする手段と、
前記移動端末加入者が前記ローミングサービス加入者である場合、前記ホームネットワークにおける認証権限課金サーバー（ＡＡＡ）に前記移動端末加入者のプロフィール情報の送信を要請する手段と、
前記加入者プロフィール情報を用いて、前記ホームネットワークが前記加入者に提供していた少なくとも一つのデータサービスを提供する手段と、を備え、
前記認証権限課金サーバー（ＡＡＡ）が前記移動端末の加入者情報を前記訪問ネットワークに伝送し、
前記加入者プロフィール情報は、前記移動端末がホームネットワークから提供されていた複数のデータサービスのリストであるサービスリストを示す情報を有し、
前記データサービスを提供する手段は、前記データサービスを提供することとして、前記サービスリストに挙げられている複数のデータサービスのうちの少なくとも一つのデータサービスを提供し、
前記訪問ネットワークにおけるパケットデータ提供ノードは、
前記ホームネットワークにおける認証権限課金サーバーからトンネリング情報を受け取る手段をさらに含むことを特徴とする、移動通信システムにおけるローミングサービスの提供システム。
【請求項３２】
前記受け取ったネットワーク識別子からユーザー名とドメイン名を分離するための手段と、
前記分離したドメイン名を用いて、前記移動端末加入者が前記ローミングサービスへの加入者であるかどうかをチェックするための手段と、をさらに備えることを特徴とする、請求項３１に記載の移動通信システムにおけるローミングサービスの提供システム。
【発明の詳細な説明】
【技術分野】
【０００１】
本発明は、無線通信システムにおいてデータパケットを伝送するための方法及びシステムに係り、さらに詳しくは、個別の移動通信事業者同士でローミングサービスを提供してデータパケットを伝送するための方法及びシステムに関する。
【背景技術】
【０００２】
通常、無線通信システムとは、端末まで固定的なユソンネットワークを接続して使用できない場合のために開発されたシステムのことである。かかる無線通信システムの代表的なシステムとしては、移動通信システム、無線ＬＡＮ、ワイブロ（Ｗｉｂｒｏ）、移動アドホック（Mobile AdHoc）などが挙げられる。
【０００３】
移動通信は、広域に亘って、加入者が高速にて移動する間にも通話可能にするためのものである。このような移動通信システムの代表的なシステムが、セルラー方式のシステムである。セルラー方式のシステムとは、従来の移動通信システムのサービス地域の制限と加入者の収容溶量の限界を克服するために提案されたものであり、サービス地域を多数の小さな区域、すなわち、セルに区分し、互いに十分に離れている２つのセルに同じ周波数帯域を使用させることにより、空間的に周波数を再利用することをいう。このようなセルラーシステムの中で最初に登場した技術が、ＡＭＰＳ（Advance Mobile Phone System）とＴＡＣＳ（Total Access Communication Services）などのアナログ方式であり、これを第１世代の移動通信と称する。第１世代の移動通信システムだけでは、急増する移動通信サービス加入者を受け入れることが困難になり、技術の発展に伴い、従前の音声サービスに加えて、種々のサービスに対するユーザーの要求が高くなっている。この要求に応えて、第１世代の移動通信よりも進歩したデジタル方式の第２世代の移動通信が登場することになった。第２世代の移動通信システムは、アナログシステムとは異なり、アナログの音声信号をデジタル化して音声符号化を行った後、デジタル変調を行い、８００ＭＨｚ帯の周波数を用いて通信を行う。多元接続方式は、ＴＤＭＡ（Time Division Multiple Access）方式とＣＤＭＡ（Code Division Multiple Access）方式を使用する。
【０００４】
このような第２世代の移動通信システムにおいては、音声サービス及び低速データサービスを提供し、米国のＩＳ−９５（ＣＤＭＡ方式）、ＩＳ−５４（ＴＤＭＡ方式）とヨーロッパのＧＳＭ（Global System for Mobile communication）方式がある。また、ＰＣＳ（Personal Communication Services）システムは、第２．５世代の移動通信システムに分類され、１．８〜２ＧＨｚ帯域の周波数を使用する。このような第２世代の移動通信システムは、ユーザーに音声サービスを提供すると共に、移動通信システムの効率を高めるための目的で構築されている。しかしながら、インターネットの出現及びユーザーの高速データサービスの要求などは新たな無線プラットフォームの登場を予告することになり、このような方式がＩＭＴ−２０００（International Mobile Telecommunication-２０００）などの第３世代の移動通信である。
【０００５】
以下、このような第３世代の通信のうち、同期方式であるＣＤＭＡ方式について述べる。
【０００６】
ＣＤＭＡ２０００１Ｘサービスは、既存のＩＳ−９５Ａ、ＩＳ−９５Ｂ網から進化したＩＳ−９５Ｃ網を用いて、既存のＩＳ−９５Ａ／Ｂ網において支援していた速度である１４．４Ｋｂｐｓや５６Ｋｂｐｓよりも遥かに速い最高１４４Ｋｂｐｓにて無線インターネットが利用可能なサービスである。このため、ＣＤＭＡ２０００１ｘサービスを通じて、既存の音声及びＷＡＰサービス品質の向上はもとより、各種のマルチメディアサービス（ＡＯＤ、ＶＯＤなど）も提供可能になる。ＩＳ−９５Ａ、ＩＳ−９５Ｂは、基地局網の名称である。ＩＳ−９５Ｂ網の場合、無線データの通信速度を６４Ｋｂｐｓまで実現することができ、 ＣＤＭＡ２０００１Ｘの網であるＩＳ−９５Ｃの場合、１４４Ｋｂｐｓという最大速度を有する。このため、ＣＤＭＡ２０００１Ｘの携帯電話があるとしても、その地域にＩＳ−９５Ｃ網が敷設されていない場合、地域網に依存してＩＳ−９５ＢにもＩＳ−９５Ａに接続されてしまう。
【０００７】
このような移動通信技術の発展にも関わらず、ユーザーは、さらに高い品質のデータサービスを要求することになり、これに応えて登場した技術が、ＣＤＭＡ２０００１ｘＥＶ−ＤＯである。ＣＤＭＡ２０００１ＸＥＶ（Evolution）−ＤＯ（Data Only）は、既存のＩＳ−２０００無線プロトコルとは全く異なるパケットデータの送信のための専用プロトコルであり、最大の伝送速度が順方向である場合、２．４Ｍｂｐｓまで支援可能な方式である。ここには、ＩＳ−２０００基地局装置とは異なる別の基地局装置が求められるが、残りのシステム及び網の構成要素は共用される。
【０００８】
パケットデータの特性から、端末がシステムから提供されるサービスの方が優勢であるため、ＣＤＭＡ２０００１ＸＥＶ−ＤＯは、順方向と逆方向のチャンネル速度が異なるような構造を持っている。端末に空間ダイバーシティを使用しない場合、順方向は最大２．４Ｍｂｐｓまで支援可能であり、逆方向は最大１５３．６Ｋｂｐｓまで支援可能な非対称なデータ送信構造を持っている。
【０００９】
ＩＳ−２０００の場合、原則として、音声中心のプロトコルに高速なパケットデータを実装しているため、最大の伝送速度には限界がある。ＩＳ−２０００リリース０においては、無線区間においてパケットデータを１５３．６Ｋｂｐｓまで送信可能であるが、事業者にとっては、無線区間の容量の問題もあって、ＶＯＤ（Video On Demand）の場合に６４Ｋｂｐｓまで割り当てることが可能であり、無線インターネットは、平均して３２Ｋｂｐｓ程度である。しかしながら、基本的に、パケットデータサービスを目指すＣＤＭＡ２０００１ｘＥＶ−ＤＯにおいては、無線区間における容量の問題を十分に解決することができる。
【００１０】
ＣＤＭＡ２０００１ｘＥＶ−ＤＯは、高速パケットの送信だけを目指して最適化されたプロトコルであり、現在のｃｄｍａ Ｏｎｅやｃｄｍａ２０００システムと同じ周波数帯域のＣＤＭＡチャンネル（１．２５ＭＨｚ）を使用する。特に、ＣＤＭＡ２０００１ｘＥＶ−ＤＯは、無線区間において各加入者の伝送速度を動的に割り当て、パケットデータの固有な特性を最大限に活かして、無線区間及びシステムの使用効率を極大化している。
【００１１】
このような移動通信技術は、各国ごとに異なる方式により実現され、このため、ある国の移動端末のユーザーが他の国または他の通信技術を使用する移動通信事業者に移動する場合には、ローミングというサービスを提供される必要があった。
【００１２】
ローミングとは、陸上の移動電話サービスにおいて、加入地の移動通信網を外れて移動電話を使用することを意味する。すなわち、種々の移動電話事業者が互いに約定をし、これにより、無線ネットワークにおいて、自分が登録されている通信事業者のサービス地域から他の通信事業者のサービス地域に、サービスの中断や接続の断絶なしに移動することが可能になる。
【００１３】
世界各国には、多数の移動通信事業者が散在しているが、それぞれ独自のサービス網を構築している。このため、各事業者により、サービスが正常に提供可能な地域と、そうでない地域が存在する。この場合、業者が互いに連携して、どの会社に加入しようが、相互間のサービス網を互いに接続して、どこでも高品質のサービスを利用できるようにすれば、極めて便利であろう。
【００１４】
米国には、既に全国的なローミングサービスが提供されている。ヨーロッパの場合、Ａ国の移動加入者がＢ国に入ると、その地域の移動通信網においてその進入を確認し、その行方をＡ国の加入地の移動通信網に通知することにより、通話が可能になる。韓国においても、既に移動通信事業者がローミングサービスを開始している。韓国において使用中の移動端末を海外においてもそのまま使用できることも、韓国における移動通信事業者が現地の移動通信会社とローミング契約を結んでいるためである。
【００１５】
しかしながら、現在、ＣＤＭＡ２０００１ｘＥＶ−ＤＯサービスを提供している事業者と他の事業者との間には、ローミング協約を通じてローミングサービスを提供するところはなく、これに対する技術的な協議がないのが現状である。通常、ＣＤＭＡ２０００１ｘネットワークにおいて、ローミングサービスを通じて加入者が無線データサービスを提供されるためには、移動端末にローミング可能に加入者に固有のＩＤ値を割り当て、訪問ネットワークにあるパケットデータ提供ノードは、上記移動端末の固有なＩＤを通じてホームネットワークのパケットデータ提供ノードにパケットをトンネリングするように設定される。この場合、訪問者ネットワークに移動したローミング加入者は、ホームネットワークにおいて用いるＩＤのほかに、訪問者ネットワークにおいて割り当てた新たなＩＤを用いて設定することを余儀なくされる。これにより、ホームネットワークにおいて使用していたＩＤを用いてのサービスには対応できなくなる。
【００１６】
すなわち、一部のサービスを提供できなくなる状況が生じうる。さらに、ＣＤＭＡ１ｘネットワークにおいては、加入者がシンプルＩＰのユーザーに対してのみローミングサービスを提供して、モバイルＩＰサービスにおいて動作するテレビ電話サービス、プッシュ−ツゥ−トークに対するサービスは提供できないという欠点を持っている。
【００１７】
また、移動端末のユーザーがローミングをすると、訪問ネットワークにおいてローミングした移動端末加入者に共通してプロファイルを管理することになるため、ローミング前の移動通信網から提供していた移動端末のユーザーがどのサービスを使用できるか、どのＱｏＳにてサービスを提供されるか、などの個別的なサービスプロフィールを使用できないという問題点があった。
【発明の開示】
【発明が解決しようとする課題】
【００１８】
本発明の目的は、ＣＤＭＡ２０００１ｘＥＶ−ＤＯネットワークにおいてデータサービスを提供されている加入者が他の移動通信事業者のＣＤＭＡ２０００１ｘＥＶ−ＤＯネットワークに移動した場合、ローミングサービスに加入者がローミングする前に、ホームネットワークから提供されていたデータサービスをそのまま提供されるためのシステム及び方法を提供するところにある。
【００１９】
本発明の他の目的は、移動端末がホームネットワークから訪問ネットワークへと移動する場合であっても、ホームネットワークから提供されていたサービスプロファイルを訪問ネットワークにおいてもそのまま提供されるためのシステム及び方法を提供するところにある。
【課題を解決するための手段】
【００２０】
上述した本発明の目的を達成するために、本発明の第１の実施の形態によるシステムは、ホームネットワークから訪問ネットワークへと移動した移動端末にデータサービスを提供するための移動通信システムにおいて、上記訪問ネットワークにおけるパケットデータ提供ノードにネットワーク識別子（ＮＡＩ）を伝送する移動端末と、上記移動端末加入者のプロフィール情報を上記訪問ネットワークに伝送する上記ホームネットワークにおける認証権限課金サーバー（ＡＡＡ）と、上記ネットワーク識別子に基づいて上記移動端末のローミングサービスへの加入の有無をチェックし、上記移動端末が上記ローミングサービスに加入している場合、上記ホームネットワークにおける認証権限課金サーバー（ＡＡＡ）に対して上記移動端末加入者のプロフィール情報の送信を要請し、上記加入者プロフィール情報を用いて、上記ホームネットワークから当該加入者に提供していた少なくとも一つのデータサービスを提供する上記訪問ネットワークにおけるパケットデータ提供ノードと、を備える。
【００２１】
上述した本発明の目的を達成するために、本発明の第１の実施の形態による方法は、ホームネットワークから訪問ネットワークへと移動した移動端末にデータサービスを提供するための方法において、上記移動端末が上記訪問ネットワークにおけるパケットデータ提供ノードにネットワーク識別子（ＮＡＩ）を伝送するステップと、上記訪問ネットワークにおけるパケットデータ提供ノードが上記ネットワーク識別子を受け取るステップと、上記訪問ネットワークにおけるパケットデータ提供ノードが、上記移動端末のローミングサービスへの加入の有無をチェックするステップと、上記移動端末がローミングサービスに加入している場合、上記訪問ネットワークにおけるパケットデータ提供ノードが上記ホームネットワークにおける認証権限課金サーバーに対して上記移動端末加入者のプロフィール情報の送信を要請するステップと、上記ホームネットワークにおける認証権限課金サーバーが上記移動端末加入者のプロフィール情報を上記訪問ネットワークに伝送するステップと、上記加入者プロフィール情報を受け取った上記訪問ネットワークにおけるパケットデータ提供ノードが、上記加入者プロフィール情報を用いて、上記移動端末にパケットデータサービスを提供するステップと、を含む。
【００２２】
上述した本発明の目的を達成するために、本発明の第２の実施の形態によるシステムは、ホームネットワークから訪問ネットワークへと移動した移動端末にパケットデータサービスを提供する移動通信システムにおいて、パケットデータ提供ノードがローミングサービスを提供するためのシステムにおいて、上記移動端末からネットワーク識別子（ＮＡＩ）を受け取るための手段と、上記ネットワーク識別子に基づいて、上記移動端末加入者がローミングサービスへの加入者であるかどうかをチェックする手段と、上記移動端末加入者が上記ローミングサービス加入者である場合、上記ホームネットワークにおける認証権限課金サーバー（ＡＡＡ）に上記移動端末加入者のプロフィール情報の送信を要請する手段と、上記加入者プロフィール情報を用いて、上記ホームネットワークが上記加入者に提供していた少なくとも一つのデータサービスを提供する手段と、を備え、上記認証権限課金サーバー（ＡＡＡ）が上記移動端末の加入者情報を上記訪問ネットワークに伝送する。
【００２３】
上述した本発明の目的を達成するために、本発明の第２の実施の形態による方法は、ホームネットワークから訪問ネットワークへと移動した移動端末に、上記訪問ネットワークにおけるパケットデータ提供ノードがデータサービスを提供するための方法において、上記移動端末からネットワーク識別子（ＮＡＩ）を受け取るステップと、上記ネットワーク識別子に基づいて、上記移動端末のローミングサービスへの加入の有無をチェックするステップと、上記移動端末がローミングサービスに加入している場合、上記ホームネットワークにおける認証権限課金サーバーに上記移動端末加入者のプロフィール情報を要請するステップと、上記ホームネットワークにおける認証権限課金サーバーから上記加入者プロフィール情報を受け取るステップと、上記受け取った加入者プロフィール情報を用いて、上記移動端末にデータサービスを提供するステップと、を含む。
【００２４】
上述した本発明の目的を達成するために、本発明の第３の実施の形態による方法は、ホームネットワークから訪問ネットワークに移動した移動端末にデータサービスを提供するための移動通信システムにおいて、パケットデータ提供ノードがローミングサービスを提供するための方法において、上記訪問ネットワークにおけるパケットデータ提供ノードが、上記移動端末からネットワーク識別子を受け取るステップと、上記訪問ネットワークにおけるパケットデータ提供ノードが、上記ネットワーク識別子に基づいて、上記移動端末のローミングサービスへの加入の有無をチェックするステップと、上記移動端末がローミングサービスに加入している場合、上記訪問ネットワークにおけるパケットデータ提供ノードが上記ホームネットワークにおける認証権限課金サーバー（ＡＡＡ）に上記移動端末加入者のプロフィール情報の送信を要請するステップと、上記訪問ネットワークにおけるパケットデータ提供ノードが、上記加入者プロフィール情報を用いて、上記ホームネットワークが上記移動端末加入者に提供していた少なくとも一つのサービスを提供するステップと、を含み、上記ホームネットワークにおける認証権限課金サーバーが、上記訪問ネットワークに上記移動端末加入者のプロフィール情報を伝送する。
【発明の効果】
【００２５】
ＣＤＭＡ移動通信加入者が他の事業者のネットワーク地域に移動しても、既存のホームネットワークから無線データサービスを提供されたい場合には、ユーザーの変更事項なしに、保有していた情報をそのまま用いて、ホームネットワークから無線データサービスを提供されることが可能になる。移動端末加入者は、他の事業者網に接続されるとしても、課金に関する情報をホームネットワークに伝送することにより、統合的な課金の内訳を受け取ることができる。
【００２６】
また、ローミングサービスへの加入者がホームネットワークから訪問ネットワークへとローミングをした場合であっても、ホームネットワークにおけるサービスプロファイルを訪問ネットワークにおいてもそのまま用いることができる。
【発明を実施するための最良の形態】
【００２７】
以下、添付した図面に基づき、本発明に係る好適な実施の形態を詳細に説明する。図中、同じ構成要素には、できる限り、同じ符号を付していることに留意すべきである。以下においては、具体的な特定の事項が開示されているが、これは、本発明を一層理解し易くするために提供されるものである。本発明を説明するに当たって、関連する公知の機能あるいは構成についての詳細な説明が本発明の要旨を余計に曖昧にすると認められる場合、その詳細な説明を省く。
【００２８】
本発明の構成は、大まかに見て、ＣＤＭＡ１ｘＥＶ−ＤＯ無線データ通信の端末の役割を果たすが、データサービスを送受する移動端末（ＡＴ）と加入者のデータ情報を受け渡すアクセスネットワークと、加入者の無線データサービスのＥＤＧＥポイントに加入者のＰＰＰを設定・接続・管理するパケットデータ提供ノードと、加入者の認証課金権限の情報を管理する認証権限課金サーバー（ＡＡＡ）と、により構成される。
【００２９】
以下、添付図面に基づき、本発明の構成を一層詳述する。
【００３０】
図１は、本発明の実施の形態による訪問ネットワークとホームネットワークとの間に設けられているＣＤＭＡ２０００１ｘＥＶ−ＤＯシステムの通常の網構造を示している。図中、ホームネットワーク（Home Network：ＨＮ）１２６は、移動端末１００が最初に加入したネットワークを意味し、訪問ネットワーク（Visited Network：ＶＮ）１２４は、移動端末１００が新たに移動した後、すなわち、ローミングした後に接続したネットワークを意味する。
【００３１】
また、図１中、ＦＡ１２０は、ＨＮ１２６においてローミングした移動端末１００が新たに接続した外部網であるＶＮ１２４における移動端末１００の移動性を管理するため、以下では、外部エージェント（Foreingn Agent：ＦＡ）と称する。
【００３２】
以下、先ず、訪問ネットワーク１２４について説明する。
【００３３】
先ず、移動端末（Access Terminal：ＡＴ）１００は、パケットの発呼、着呼などを処理するシグナリング手順とパケットの伝達手順、媒体接近制御（ＭＡＣ）などを定義するＩＳ−８５６無線接続規格に準拠して、無線リンク及び無線信号を処理する基地局（Access Network Transmission System：ＡＮＴＳ）１０２に接続し、ＡＮＴＳ１０２は、呼の処理及び選択機能（Selection Function：ＳＦ）、無線リンクプロトコル（Radio Link Protocol：ＲＬＰ）を処理する基地局制御器（Access Network Controller：ＡＮＣ）１０４に接続する。図１に示すように、ＡＮＣ１０４は、２以上のＡＮＴＳに接続可能である。このＡＮＣ１０４は、移動端末１００に対する認証、ＩＰアドレスの割当て、ルーティング機能を担当するデータコア網（Data Core Network：ＤＣＮ）のパケットデータ提供ノード（Packet Data Serving Node：ＰＤＳＮ）１１０とパケット制御部（Packet Control Function：ＰＣＦ）１０８を介して接続する。ＰＣＦ１０８は、ＡＮＣ１０４とＰＤＳＮ１１０に接続されてＡＮＣ１０４とＰＤＳＮ１１０との間におけるユーザートラフィックの伝達機能を行い、移動端末１００に対するセッション管理、移動性の管理、上記移動端末１００に対する認証などの機能を担当するセッション管理／移動性管理部（Session Control/Mobility Management：ＳＣＭＭ）１１２が含まれてもいてもよい。図１から明らかなように、ＳＣ／ＭＭ１１２がＰＣＦ１０８から分岐されている。
【００３４】
ＳＣ／ＭＭ１１２は、ＣＤＭＡ２０００１ｘＥＶ−ＤＯ加入者に対する移動管理の機能を行い、サブネット領域に対するＡＮＣ１０４のＵＡＴＩ（Universal Access Terminal Identifier）の割当て要請の処理、ＡＴ１００に対するＩＭＳＩ及びセッション情報の伝達を行い、ＡＴ１００に対するページングの要請が生じた場合には、位置によってページングを行う。
【００３５】
また、上記ＰＣＦ１０８は、訪問ネットワーク１２４に接続している移動端末１００に対して認証を行うＡＮ（Access Network）−ＡＡＡ（Authentication Authorization Accounting）１１４と、ＳＣ／ＭＭ１１２やＡＮ−ＡＡＡ１１４のシステムを管理するＥＭＳ（Element Management System）及びデータコア網のＰＤＳＮ１１０に接続される。
【００３６】
ＰＤＳＮ１１０は、移動端末１００の無線データサービスのＥＤＧＥポイントに移動端末１００の点対点プロトコル（Point-to-Point Protocol：ＰＰＰ）を設定、接続、管理する。そして、ＰＤＳＮ１１０は、モバイルＩＰを提供されるために、訪問者ネットワーク１２４に接続されている移動端末１００のモバイルＩＰセッションを管理するＦＡ１２０に接続され、上記ＦＡ１２０は、加入者の無線データサービスに対する認証、権限課金を担当するＡＡＡ１１８及びＩＰネットワーク１２２に接続する。
【００３７】
以上、ＶＮ１２４のＮＥ（Network Element）について説明した。以下では、図１におけるＨＮ１２６に示されている各ＮＥについて説明する。
【００３８】
ＰＤＳＮ１４２は、モバイルＩＰを提供されるために、ＶＮ１２４に接続されている移動端末１００のモバイルＩＰセッションを管理するホームエージェント（Home Agent：ＨＡ）１４０に接続され、上記ＨＡ１４０は、インターネット網１４０に接続される。
【００３９】
また、上記ＨＡ１４４は、移動端末１００加入者の無線データサービスに対する認証、権限課金を担当する認証課金権限サーバー（Authentication Authorization Accounting：ＡＡＡ）１４４及びＩＰネットワーク１２２に接続される。
【００４０】
図１に示す回線網を通じた音声サービス中心の第１世代、第２世代を経て第３世代まで進んできたセルラー移動通信技術の最も顕著な特徴は、加入者に、広範な無線通信環境の下でインターネットに接続できるパケットデータサービスを提供するということである。しかしながら、セルラー移動通信網において高速なパケットデータサービスを支援することには限界があり、同期式の移動通信システムであるＣＤＭＡ２０００１ｘＥＶ−ＤＯシステムにおいては、約２．４Ｍｂｐｓまでのデータ送信率を提供している。通常、ＣＤＭＡ２０００１ｘＥＶ−ＤＯ網においては、ＡＮＴＳ１０２とＡＮＣ１０４をアクセス網（Access Network：ＡＮ）と統称するため、この明細書中においても、ＡＮＴＳとＡＮＣをＡＮと称する。
【００４１】
通常、ＣＤＭＡ２０００１ｘＥＶ−ＤＯシステムにおいて、ローミング加入者がＨＮ１２６から外れて他の事業者のネットワーク１２４に接続されると、移動端末１００は、他の事業者のネットワーク１２４のＡＮ１０３から新たな移動端末１００の固有値であるＵＡＴＩを割り当てられ、ＡＮ１０３と移動端末１００はトラフィックトンネルを形成することになる。この後、移動端末１００のローミング加入者が無線インターネットサービスを行うと、ＡＮ１０３とＰＤＳＮ１１０との間にラジオパケット（Ｒ−Ｐ）リンクが設定され、この後、移動端末１００とＰＤＳＮ１１０は、ＰＰＰを設定する。ＰＰＰの設定に際し、移動端末１００は、リンク制御プロトコル（Link Control Protocol：ＬＣＰ）の手順を行う。このとき、移動端末１００は、サービスの種別または加入者の形態により、シンプルＩＰを用いることもでき、モバイルＩＰを用いることもできる。
【００４２】
このため、本発明においては、移動端末が上述したシングルＩＰとモバイルＩＰを提供される場合をそれぞれの実施の形態に分けて説明する。
【００４３】
図２は、本発明の実施の形態により、移動端末１００に訪問ネットワーク１２４とホームネットワーク１２６との間にシンプルＩＰサービス加入者に対するローミングサービスの提供のための呼のフローチャートである。
【００４４】
先ず、ステップＳ２００において、移動端末１００とＡＮ１０３との間にトラフィックチャンネルをセットアップし、ＡＮ１０３は、ＰＤＳＮ１１０とのＲ−Ｐのセットアップを行う。ステップＳ２０２において、シンプルＩＰサービスを利用する移動端末１００が、リンク制御プロトコル（Link Control Protocol：ＬＣＰ）の設定のために、ＬＣＰの設定要請ＬＣＰ Ｃｏｎｆｉｇｕｒｅ＿ｒｅｑメッセージをＰＤＳＮ１１０に伝送する。
【００４５】
ここでは、上記移動端末１００がシンプルＩＰサービスを用いるため、ＬＣＰの設定のためにＣＨＡＰ（Challenge Hand shake Authenication Protocol）／ＰＡＰ（Password Authentication Protocol）を用いる。このとき、移動端末１００は、ＲＦＣ（Request For Comments）２４８６に定義されているネットワーク識別子（Network Access Identifier：ＮＡＩ）をＣＨＡＰメッセージに含めて伝送する。上記ＮＡＩは、Ｕｓｅｒ＠Ｄｏｍａｉｎの形式であり、ユーザーはユーザー識別子であって、移動端末１００におけるＨＮ１２６から割り当てられたＩＤであり、ｄｏｍａｉｎは、ＨＮ１２６のドメイン名であり、例えば、韓国の場合には、韓国の移動通信事業者であるＳＫテレコム、ＫＴＦ（コリア・テレコム・フリーチャンネル）が適用可能である。
【００４６】
もし、ユーザー名がｊｕｎｇ１であり、ドメインがＳＫテレコム、ＫＴＦである場合におけるＮＡＩの形式の一例を挙げると、下記の通りである。ここで、韓国の移動通信事業者と他の移動通信事業者１２４との間にローミング協約が既に結ばれていることが前提となるのはいうまでもない。
【００４７】
ｊｕｎｇ１＠ｓｋｔｅｌｅｃｏｍ．ｃｏｍ
ｊｕｎｇ１＠ｋｔｆ．ｃｏｍ
【００４８】
ステップＳ２０４において、ＰＤＳＮ１１０は、上記受け取ったＮＡＩ情報を見てユーザー名とドメインを分離し、ドメインを抽出し、上記抽出されたドメインに基づいて、上記移動端末１００がローミングサービスへの加入者であるかどうかをチェックする。上記ステップＳ２０４において、ＰＤＳＮ１１０は、もし、訪問ネットワーク１２４のドメインがｃｈｉｎａ．ｃｏｍである場合、上記訪問ネットワーク１２４に接続している上記移動端末１００から受け取ったネットワーク識別子に含まれているドメイン（ｋｔｆ．ｃｏｍまたはｓｋｔｅｌｅｃｏｍ．ｃｏｍ）が上記訪問者ネットワーク１２４のドメインであるｃｈｉｎａ．ｃｏｍと異なるため、上記移動端末１００がローミングサービスへの加入者であることを認知することになる。
【００４９】
上記ステップＳ２０４において、上記移動端末１００がローミングサービスへの加入者でない場合、ステップＳ２０６へ移り、通常の呼の処理手順を行う。このとき、上記ＶＮ１２４は、ホームネットワークであり、上記ローミングサービスへの加入者ではない移動端末に対してホームネットワークの役割を行う。もし、上記ステップＳ２０４において、ＰＤＳＮ１１０は、上記移動端末１００がローミングサービスへの加入者である場合、ステップＳ２０８へ移り、ＶＮ１２４におけるＡＡＡ１１８を経てＨＮ１２６におけるＡＡＡ１４４に上記移動端末１００に対する認証を要請する。このとき、上記移動端末１００がＨＮ１２６から提供されていたサービスリストが含まれている加入者プロフィール情報も一緒に要請する。
【００５０】
ステップＳ２１０において、ＨＮ１２６におけるＡＡＡ１４４は、上記移動端末１００に対する認証を行い、ステップＳ２１２において、ＨＮ１２６におけるＡＡＡ１４４は、ＶＮ１２４におけるＰＤＳＮ１１０に、上記移動端末１００がＨＮ１２６から提供されていたサービスリストが含まれている加入者プロフィール情報と、ＨＮ１２６におけるＰＤＳＮ１４２とのトンネリングを設定するためのトンネリング情報を伝送する。ステップＳ２１４において、ＶＮ１２４におけるＰＤＳＮ１１０は、移動端末１００にＬＣＰ設定応答ＬＣＰ Ｃｏｎｆｉｇｕｒｅ＿ｒｅｓメッセージを伝送し、ステップＳ２１６において、ＶＮ１２４におけるＰＤＳＮ１１０は、ＨＮ１２６におけるＰＤＳＮ１４２とレイヤ２トンネリングプロトコル（Layer 2 Tunneling Protocol：Ｌ２ＴＰ）、Ｌ２Ｆ（Layer 2 Forwarding Protocol）、ＶＴＰ（Virtual Tunneling Protocol）を用いてトンネルを形成する。このとき、パケットデータの保安のために、ＩＰＳｅｃ（ＩＰセキュリティ）を通じてトンネリング情報を保護することができる。
【００５１】
上記ステップＳ２１６において、ＶＮ１２４におけるＰＤＳＮ１１０とＨＮ１２６におけるＰＤＳＮ１４２がトンネルを形成した後、ステップＳ２１８において、ＶＮ１２４におけるＰＤＳＮ１１０は、ＨＮ１２６におけるＰＤＳＮ１４２にＬ２ＴＰを用いてＰＰＰ情報を伝送する。このとき、ＨＮ１２６におけるＰＤＳＮ１４２は、自分が設定したＰＰＰ情報と上記受け取ったＰＰＰ情報が一致すると、ステップＳ２２０に移り、ＶＮ１２４における移動端末１００とＩＰＣＰ（ＩＰ Control Protocol）の交渉を行う。もし、上記ステップＳ２１８において、ＨＮ１２６におけるＰＤＳＮ１４２は、自分が設定したＰＰＰ情報と上記受け取ったＰＰＰ情報が一致しなければ、さらに、ＶＮ１２４における移動端末１００とＰＰＰ交渉を行う。
【００５２】
上記ステップＳ２２０において、ＨＮ１２６におけるＰＤＳＮ１４２は、自分が持っているＩＰプールを用いて、移動端末１００に新たなＩＰを割り当てる。これにより、ステップＳ２２２において、ＰＰＰの設定が完了し、ステップＳ２２４において、移動端末１００が伝送したパケットデータは、ＶＮ１２４におけるＰＤＳＮ１１０を介してＨＮ１２６におけるＰＤＳＮ１４２まで伝送される。
【００５３】
そして、ステップＳ２２６において、ＨＮ１２６におけるＰＤＳＮ１４２は、ＨＮ１２６におけるＡＡＡ１４４及びＶＮ１２４におけるＡＡＡ１１８に、データサービスを提供されている移動端末１００に対する課金を行うことを要請する。すなわち、上記ステップＳ２２６は、移動端末１００に対する課金が行われるステップであり、ＨＮ１２６におけるＰＤＳＮ１４２がＨＮ１２６におけるＡＡＡ１４４にＶＮ１２４を介して接続し、データサービスを提供されている移動端末１００に対する課金を行うことを要請し、ＨＮ１２６におけるＡＡＡ１４４は、ＶＮ１２４におけるＡＡＡ１１８に、移動端末１００に対する課金を行うことを要請する。
【００５４】
ステップＳ２２８において、移動端末１００とＨＮ１２６におけるＰＤＳＮ１４２との間におけるユーザーデータの送信が終了すると、ステップＳ２３０において、ＶＮ１２４におけるＰＤＳＮ１１０とＨＮ１２６におけるＰＤＳＮ１４２との間のトンネリングが終了する。そして、ステップＳ２３２において、移動端末１００のデータサービスが終了しているため、ＨＮ１２６におけるＰＤＳＮ１４２は、移動端末１００に対する課金を終了することをＨＮ１２６におけるＡＡＡ１４４及びＶＮ１２４におけるＡＡＡ１１８に要請する。
【００５５】
図３は、本発明の実施の形態により、訪問ネットワーク１２４におけるＰＤＳＮ１１０において、シンプルＩＰサービス加入者にローミングサービスを提供するための手順図である。
【００５６】
先ず、ステップＳ３００において、ＰＤＳＮ１１０は、ＡＮ１０３とのＲ−Ｐセッションを設定し、ステップＳ３０２において、移動端末１００とのＬＣＰセッションの設定を始める。
【００５７】
そして、ステップＳ３０４において、ＰＤＳＮ１１０は、上記移動端末１００とのＬＣＰの設定を始めるときに、移動端末１００からＮＡＩを受け取ったかどうかをチェックする。上記ステップＳ３０４において、ＰＤＳＮ１１０がＮＡＩを受け取っていると、ステップＳ３０６において、ＰＤＳＮ１１０は、上記移動端末１００が伝送したＮＡＩに基づいて、移動端末１００がローミングサービスへの加入者であるかどうかをチェックする。このときには、移動端末１００が伝送したＮＡＩ情報からユーザー名とドメインを分離し、ドメインを見てローミングサービスへの加入者であるかどうかが分かる。具体的には、上述の図２におけるステップＳ２０２と同様である。上記ステップＳ３０６において、ＰＤＳＮ１１０は、移動端末１００がローミングサービスへの加入者ではなければ、ステップＳ３０８に移り、通常の呼の処理を行う。
【００５８】
これに対し、上記ステップＳ３０６において、ＰＤＳＮ１１０は、移動端末１００がローミングサービスへの加入者であれば、ステップＳ３１０に移り、移動端末１００のＨＮ１２６におけるＡＡＡ１４４に、移動端末１００に対する認証を要請する。このときには、上記移動端末１００に対する加入者プロフィール情報も一緒に要請する。ステップＳ３１２において、ＰＤＳＮ１１０は、ＨＮ１２６におけるＡＡＡ１４４から、上記ステップＳ３１０において要請した移動端末１００の認証要請に対する応答を受け取る。このとき、ＨＮ１２６におけるＡＡＡ１４４から、移動端末１００に関する加入者プロフィール情報も上記認証に対する応答と同様にして受け取る。そして、上記ステップＳ３１２において、ＨＮ１２６におけるＡＡＡ１４４は、上記加入者プロフィール情報を送信するとき、ＶＮ１２４におけるＰＤＳＮ１１０がＨＮ１２６におけるＰＤＳＮ１４２とのトンネリングを設定するためのトンネリング情報も一緒に伝送する。
【００５９】
ステップＳ３１４において、ＰＤＳＮ１１０は、上記ステップＳ３１２において受け取ったトンネリング情報に基づいて、ＨＮ１２６におけるＰＤＳＮ１４２とのトンネリングを設定する。
【００６０】
図２及び図３に示すように、本発明の実施の形態による移動端末１００は、ＶＮ１２４に接続しても、ＨＮ１２６から提供されていたサービスをＶＮ１２４においても提供されることが可能である。
【００６１】
図４は、本発明の実施の形態により、訪問ネットワーク１２４とホームネットワーク１２６との間において、モバイルＩＰサービス加入者にローミングサービスを提供するための呼のフローチャートである。
【００６２】
先ず、ステップＳ４００において、移動端末１００とＡＮ１０３との間にトラフィックチャンネルをセットアップし、ＡＮ１０３は、ＰＤＳＮ１１０とのＲ−Ｐセットアップを行う。ステップＳ４０２において、モバイルＩＰサービスを利用する移動端末１００がリンク制御プロトコル（Link Control Protocol：ＬＣＰ）の設定のためにＬＣＰの設定要請ＬＣＰ Ｃｏｎｆｉｇｕｒｅ＿ｒｅｑメッセージをＰＤＳＮ１１０に伝送する。ステップＳ４０４において、ＰＤＳＮ１１０は、ＶＮ１２４における移動端末１００とＩＰＣＰ（ＩＰ Control Protocol）の交渉を行った後、ステップＳ４０６において、ＰＤＳＮ１１０は、移動端末１００とのＰＰＰの設定を完了する。
【００６３】
しかしながら、移動端末１００の加入者がモバイルＩＰサービスを利用する場合には、上記ステップＳ４０２におけるＬＣＰの設定に際してＣＨＡＰ／ＰＡＰを利用しないため、ＰＤＳＮ１１０は、移動端末１００加入者に関する情報を把握することができない。このため、上記ステップＳ４０６において、移動端末１００とＶＮ１２４におけるＰＤＳＮ１１０とのＰＰＰの設定が完了した後、ステップＳ４０８において、移動端末１００は、ＲＦＣ２００２に定義されているモバイルＩＰの登録要請メッセージをＰＤＳＮ１１０に伝送する。
【００６４】
ステップＳ４１０において、ＰＤＳＮ１１０は、上記移動端末１００が伝送したモバイルＩＰの登録要請メッセージを受け取り、上記移動端末１００がローミングサービスへの加入者であるかどうかをチェックする。このとき、上記ステップＳ４１０において、ＰＤＳＮ１１０がローミングサービスへの加入者であるかどうかをチェックする方法としては、ＰＤＳＮ１１０が、上記モバイルＩＰの登録要請メッセージ内のネットワーク識別子（ＮＡＩ）の拡張フィールドのネットワーク識別子情報、すなわちｕｓｅｒ＠ｄｏｍａｉｎ情報からユーザー名とドメインを分離した後、ドメインに基づいてローミング加入者の有無を判断する方法がある。もし、上記ステップＳ４１０において、上記移動端末１００がローミングサービスへの加入者ではない場合には、ＰＤＳＮ１１０は、ステップＳ４１２に移り、通常のモバイルＩＰの進行手順を行う。
【００６５】
これに対し、移動端末１００の加入者がローミングサービスへの加入者であると判断されると、ＰＤＳＮ１１０は、ステップＳ４１４に移り、ＨＮ１２６におけるＡＡＡ１４４に移動端末１００に対する認証を要請する。このとき、ステップＳ４１４において、ＰＤＳＮ１１０は、上記移動端末１００がＨＮ１２６から提供されていたサービスリストが含まれている加入者プロフィール情報も一緒に要請する。ステップＳ４１６において、ＨＮ１２６におけるＡＡＡ１４４は、上記移動端末１００に対する加入者認証を行う。そして、ステップＳ４１８において、ＨＮ１２６におけるＡＡＡ１４４は、ＶＮ１２４におけるＰＤＳＮ１１０に、上記ステップＳ４１４の応答として、上記移動端末１００がＨＮ１２６から提供されていたサービスリストが含まれているサービスプロフィール情報と一緒に、ＶＮ１２４におけるＰＤＳＮ１１０とＨＮ１２６におけるＨＡ１４０とのトンネルリングのために、移動端末１００加入者がＶＮ１２４にローミングする前のＨＡ１４０のＩＰアドレスを伝送する。
【００６６】
ステップＳ４２０において、ＶＮ１２４におけるＰＤＳＮ１１０は、ＨＮ１２６におけるＡＡＡ１４４から受け取った新たなＨＡ１４０の情報を用い、モバイルＩＰセッションを設定する。すなわち、上記ステップＳ４２０において、ＶＮ１２４におけるＰＤＳＮ１１０は、上記ＨＮ１２６におけるＨＡ１４０に移動端末１００に対するモバイルＩＰの登録要請メッセージを送信し、上記ＨＮ１２６におけるＨＡ１４０は、上記モバイルＩＰの登録要請メッセージに対する応答を行う。このとき、上記ＨＡ１４０は、移動端末１００に動的に新たなＩＰアドレスを割り当てるか、あるいは、移動端末１００が伝送した移動端末１００のＩＰアドレスに対して確認メッセージを伝送する。
【００６７】
上記ステップＳ４２０において、移動端末１００とＨＮ１２６におけるＰＤＳＮ１４２との間にモバイルＩＰセッションが設定されると、ステップＳ４２２において、移動端末１００は、ＶＮ１２４におけるＰＤＳＮ１１０とデータパケットを送受信し、ＶＮ１２４におけるＰＤＳＮ１１０とＨＮ１２６におけるＨＡ１４０は、ＩＰＳｅｃ（ＩＰセキュリティ）プロトコルを介してデータパケットを伝送することにより、移動端末１００がデータサービスを提供されることが可能になる。
【００６８】
ステップＳ４２４において、ＶＮ１２４におけるＰＤＳＮ１１０は、ＶＮ１２４におけるＡＡＡ１１８及びＨＮ１４２におけるＡＡＡ１４４に課金の開始を要請する。そして、ステップＳ４２６において、ユーザーデータの送受信が終了すると、ステップＳ４２８において、ＶＮ１２４におけるＰＤＳＮ１１０は、ＶＮ１２４におけるＡＡＡ１１８及びＨＮ１４２におけるＡＡＡ１４４に課金の終了を要請する。上記ステップＳ４２４において、課金の開始を要請するステップは、ＰＤＳＮ１１０がＶＮ１２４におけるＡＡＡ１１８に課金の開始を要請し、ＶＮ１２４におけるＡＡＡ１１８がＨＮ１２６におけるＡＡＡ１４４に課金の開始を要請するステップを含む。そして、ステップＳ４２８において、課金の終了を要請するステップは、ＰＤＳＮ１１０がＶＮ１２４におけるＡＡＡ１１８に課金の終了を要請し、ＶＮ１２４におけるＡＡＡ１１８がＨＮ１２６におけるＡＡＡ１４４に課金の終了を要請するステップを含む。
【００６９】
図５は、本発明の実施の形態により、ＶＮ１２４におけるＰＤＳＮ１１０において、モバイルＩＰサービス加入者にローミングサービスを提供するための手順図である。
【００７０】
先ず、ステップＳ５００において、ＶＮ１２４におけるＰＤＳＮ１１０は、ＡＮ１０３とのＲ−Ｐセッションを設定し、ステップＳ５０２において、移動端末１００とのＬＣＰセッションを設定する。そして、ステップＳ５０４において、移動端末１００とＩＰＣＰを設定することにより、ＰＰＰの設定を完了する。
【００７１】
ステップＳ５０６において、ＰＤＳＮ１１０は、移動端末１００からモバイルＩＰ登録要請メッセージが受け取っているかどうかをチェックし、モバイルＩＰの登録要請メッセージを受け取っている場合、ステップＳ５０８へ移り、移動端末１００がローミングサービスへの加入者であるかどうかをチェックする。上記ステップＳ５０８におけるチェックの結果、移動端末１００がローミングサービスへの加入者ではなければ、ステップＳ５１０へ移り、通常の呼の処理動作を行う。
【００７２】
これに対し、上記ステップＳ５０８におけるチェックの結果、移動端末１００がローミングサービスへの加入者であれば、ＰＤＳＮ１１０は、ステップＳ５１２へ移り、ＨＮ１２６におけるＡＡＡ１４４に移動端末１００に対する認証を要請する。このときには、上記移動端末１００に関する加入者プロフィール情報も一緒に要請する。そして、上記要請した加入者プロフィール情報と一緒に、ＨＡ１４０のＩＰアドレスもＨＮ１２６におけるＡＡＡ１４４から受け取る。ステップＳ５１４において、ＰＤＳＮ１１０は、ＨＮ１２６におけるＨＡ１４０とのモバイルＩＰのセッションを設定し、ステップＳ５１６において、ＰＤＳＮ１１０は、ＩＰＳｅｃを介して移動端末１００及びＨＮ１２６におけるＨＡ１４０とのデータの送受信を行い、ステップＳ５１８において、ＶＮ１２４におけるＡＡＡ１１８及びＨＮ１２６におけるＡＡＡ１４４に課金の開始を要請する。
【００７３】
本発明の実施の形態においては、ＣＤＭＡ２０００１ｘＥＶ−ＤＯシステム同士のローミングについてのみ説明したが、ＣＤＭＡ２０００１ｘとＣＤＭＡ２０００１ｘの間、及びＣＤＭＡ２０００１ｘとＣＤＭＡ２０００１ｘＥＶ−ＤＯシステムとの間にも本発明が適用可能である。
【図面の簡単な説明】
【００７４】
【図１】本発明の実施の形態による訪問ネットワークとホームネットワークとの間に設けられているＣＤＭＡ２０００１ｘＥＶ−ＤＯシステムの通常の網構造を示す図。
【図２Ａ】本発明の実施の形態により、移動端末に訪問ネットワークとホームネットワークとの間において、シンプルＩＰサービス加入者に対するローミングサービスを提供するための呼のフローチャート。
【図２Ｂ】本発明の実施の形態により、移動端末に訪問ネットワークとホームネットワークとの間において、シンプルＩＰサービス加入者に対するローミングサービスを提供するための呼のフローチャート。
【図３】本発明の実施の形態により、訪問ネットワークにおけるＰＤＳＮにおいて、シンプルＩＰサービス加入者にローミングサービスを提供するための手順図。
【図４Ａ】本発明の実施の形態により、訪問ネットワークとホームネットワークとの間において、モバイルＩＰサービス加入者にローミングサービスを提供するための呼のフローチャート。
【図４Ｂ】本発明の実施の形態により、訪問ネットワークとホームネットワークとの間において、モバイルＩＰサービス加入者にローミングサービスを提供するための呼のフローチャート。
【図５】本発明の実施の形態により、訪問ネットワークにおけるＰＤＳＮにおいて、モバイルＩＰサービス加入者にローミングサービスを提供するための手順図。
【符号の説明】
【００７５】
１００：移動端末（ＡＴ）
１０２：基地局（ＡＮＴＳ）
１０８：パケット制御部（ＰＣＦ）
１１０：パケットデータ提供ノード（ＰＤＳＮ）
１１２：セッション管理／移動性管理部（ＳＣＭＭ）
１１４：アクセスネットワーク−認証権限課金サーバー（ＡＮ−ＡＡＡ）
１１８：認証権限課金サーバー（ＡＡＡ）
１２０：外部エージェント（ＦＡ）
１２２：ＩＰネットワーク
１２４：訪問ネットワーク（ＶＮ）
１２６：ホームネットワーク（ＨＮ）
【図１】
0004634344.tif 000002
【図４Ｂ】
0004634344.tif 000003
【図２Ａ】
0004634344.tif 000004
【図２Ｂ】
0004634344.tif 000005
【図３】
0004634344.tif 000006
【図４Ａ】
0004634344.tif 000007
【図５】
0004634344.tif 000008